(57)【特許請求の範囲】
【請求項１】
左右の両支柱（１０Ｌ，１０Ｒ）と、両支柱（１０Ｌ，１０Ｒ）間に後部が支えられて前方へ延びるバスケット（３０）と、バスケット（３０）の後面よりも後方かつ上方で両支柱（１０Ｌ，１０Ｒ）の上端間を左右方向に延びるハンドルバー（４０Ｌ，４０Ｒ）とを含み構成されたショッピングカートにおいて、
バスケット（３０）の後面とハンドルバー（４０Ｒ）との間に配した傘（３）のすぼめた状態の傘布部（５）を、左右方向に倒れないように保持するための傘布保持部（５０）を設け、傘布保持部（５０）よりも下方に傘（３）の石突（６）を保持するための石突保持部（６０）を設け、
傘布保持部（５０）を、次の条件［ア］、［イ］及び［ウ］を満たすように設定したことを特徴とするショッピングカート。
［ア］傘布保持部（５０）と左右一方の支柱（１０Ｒ）との間に、傘（３）の傘布部（５）が収まる傘収容空間（Ｓ）をおく。
［イ］傘（３）の柄部（４）をハンドルバー（４０Ｒ）の高さに配し、傘布部（５）を傘布保持部（５０）の高さに配し、かつ、傘（３）が鉛直に対して石突（６）が後方へ向かう方向に−５〜２５°の範囲内の所定のスライド時角度（θ）をなす状態で、傘（３）を傘布保持部（５０）よりも左右他方側から左右一方側の傘収容空間（Ｓ）に向けてスライドさせるときに、傘（３）が通過できる傘通過空間（Ｐ）を、傘布保持部（５０）とハンドルバー（４０Ｒ）との間におく。但し、本条件［イ］において、傘（３）の柄部（４）の直径は２０ｍｍ、傘布部（５）の直径は５０ｍｍとする。
［ウ］傘（３）の傘布部（５）が傘収容空間（Ｓ）に収まり、かつ、石突（６）が石突保持部（６０）に保持された傘保持時に、傘布保持部（５０）は傘布部（５）が左右他方に倒れるのを防止できる位置にある。
【請求項２】
傘保持時に、傘（３）が鉛直に対して石突（６）が後方へ向かう方向に−２０〜−１°の範囲内の所定の傘保持時角度（φ）をなす請求項１記載のショッピングカート。
【請求項３】
石突保持部（６０）は、左右の両支柱（１０Ｌ，１０Ｒ）の下部どうしを繋ぐ左右方向フレーム（２１）から前方に突出した請求項２に記載のショッピングカート。
【請求項４】
傘布保持部（５０）は、バスケット（３０）の後端部から後方に突出した突起（５０ｘ，５０ａ，５０ｂ，５０ｃ，５０ｄ，５０ｅ，５０ｆ）である請求項１〜３のいずれか一項に記載のショッピングカート。
【請求項５】
傘布保持部（５０ｘ，５０ａ，５０ｂ）は、左右一方の側面の後端部から左右一方に突出した返し部（５２）を備えた請求項４記載のショッピングカート。
【請求項６】
傘布保持部（５０ｃ）は、左右一方に向かうに従い後方への突出長が長くなる請求項４記載のショッピングカート。
【請求項７】
傘布保持部（５０ｄ）は、左右一方に向かうに従い後方への突出長が短くなる請求項４記載のショッピングカート。
【請求項８】
傘布保持部（５０）は、左右一方の支柱（１０Ｒ）から左右他方に突出したのち後方に湾曲した突起（５０ｚ，５０ｚ’）である請求項１〜３に記載のショッピングカート。
【請求項９】
ハンドルバー（４０Ｌ，４０Ｒ）は、左右一方の支柱（１０Ｒ）の上端部が左右他方に曲げられてなる左右一方のハンドルバー（４０Ｒ）と、左右他方の支柱（１０Ｌ）の上端部が左右一方に曲げられてなる左右他方のハンドルバー（４０Ｌ）とに分離形成され、左右の両ハンドルバー（４０Ｌ，４０Ｒ）の間に、傘（３）が前後方向に通過できる間隙が形成された請求項１〜８のいずれか一項に記載のショッピングカート。
【請求項１０】
傘布保持部（５０）に、傘（３）を立てる位置を示す表示部（５５）が設けられた請求項１〜９のいずれか一項に記載のショッピングカート。
【発明の詳細な説明】
【技術分野】
【０００１】
本発明は、スーパーマーケット等で買い物をする際に使用するショッピングカートに関する。
【背景技術】
【０００２】
ショッピングカートの中には、特許文献１に示す従来例１のショッピングカートのように、傘立を備えたものもある。その傘立は、ショッピングカートのバスケットの後部の側方にある上側の支持リングと、その下方に設けられた下側の支持リングとから構成されている。そして、買物客は、傘を持ち上げてその石突を上側の支持リングの内側に上方から突き刺したのち、更にその石突を下側の支持リングに上方から突き刺すことによって、傘をショッピングカートの傘立に立てる。
【０００３】
また、その他、ショッピングカートの傘立の中には、図１８（ａ）に示す本出願人が開発した従来例２のショッピングカート９０の傘立９５，９６のように、上側の支持リング９５がバスケット９３の右側部分の後方にあり、下側の支持リング９６がその下方にあるものもある。そして、ここでも、買物客は、従来例１と同様、傘３を持ち上げてその石突６を上側の支持リング９５の内側に上方から突き刺したのち、その石突６を下側の支持リング９６の内側に上方から突き刺すことによって、傘３をショッピングカート９０の傘立９５，９６に立てる。
【先行技術文献】
【特許文献】
【０００４】
【特許文献１】特開平１０−２１１８８０号公報
【発明の概要】
【発明が解決しようとする課題】
【０００５】
しかしながら、このように傘３を持ち上げてその石突６をバスケット９３の後方（従来例１では側方）にある上側の支持リング９５の内側に上方から突き刺すといった作業は、お年寄りや体の不自由な人にとっては困難な場合がある。また、困難ではないまでも傘３を持ち上げて突き刺すのが面倒なために、傘３をショッピングカート９０の傘立９５，９６には立てずにハンドルバー９４等にぶら下げてしまう買物客も多く、傘立９５，９６が有効に活用されない場合が多い。
【０００６】
そこで、本出願人は、従来例２のショッピングカート９０において、図１８（ａ）に示すように、傘３の傘布部５を上側の支持リング９５の内側に通すのではなく、図１８（ｂ）に示すように傘３の傘布部５を、バスケット９３の後端とハンドルバー９４と右側の支柱９１Ｒと上側の支持リング９５との四者間Ｓｏに配して、該四者で四方から支持することを考えた。このとき、まず、図１９（ａ）及び図２０（ａ）に示すように、傘３を上側の支持リング９５の左方に配する。次に、図１９（ｂ）及び図２０（ｂ）に示すように、傘３を鉛直に対して石突６が後方にくるように５０°程度（角度θｏ）傾けてから、傘３をバスケット９３の後端とハンドルバー９４との間Ｐｏから右方に通すことによって、傘３の傘布部５を前述の四者間Ｓｏに配する。そして、その状態で、図１９（ｃ）及び図２０（ｃ）に示すように、傘３の石突６を下側の支持リング９６の内側に突き刺すことによって、傘３をショッピングカート９０に支持する。
【０００７】
上記の方法によれば、傘３を持ち上げてその石突６を上側の支持リング９６の内側に上方から突き刺すといった面倒な作業が不要となる。しかしながら、この場合でも、傘３を鉛直方向に対して５０°程度（角度θｏ）も傾けないといけないため、傘３を前述の四者間Ｓｏに配するのが面倒である。
【０００８】
また、ショッピングカートの中には、図２１（ａ）（ｂ）に示す従来例３のショッピングカート９０’のように、ハンドルバー９４がバスケット９３の後端から後方に大きく離れた点で従来例２と異なり、その他の点は従来例２と同様のものもある。この場合には、図２１（ａ）から分かる通り、傘３を従来例２の場合のように傾けなくても、その傘布部５を、バスケット９３の後端とハンドルバー９４との間Ｐｏを通して簡単に前述の四者間Ｓｏに配することができる。しかしながら、その状態で、傘３の石突６を下側の支持リング９６の内側に差し込んだとしても、手を離した自然な状態では、図２１（ａ）から分かる通り、傘３の傘布部５は上側の支持リング９５の真横に配されないため、図２１（ｂ）に２点鎖線で示す通り、傘３が左方に倒れるのを防止することができない。
【０００９】
そこで、ショッピングカートに、傘を簡単に立てられるようにするとともに、立てた傘が左右方向に倒れないようにすることを目的とする。
【課題を解決するための手段】
【００１０】
上記の目的を達成するため、本発明のショッピングカートは、左右の両支柱と、両支柱間に後部が支えられて前方へ延びるバスケットと、バスケットの後面よりも後方かつ上方で両支柱の上端間を左右方向に延びるハンドルバーとを含み構成されたショッピングカートにおいて、バスケットの後面とハンドルバーとの間に配した傘のすぼめた状態の傘布部を、左右方向に倒れないように保持するための傘布保持部を設け、傘布保持部よりも下方に傘の石突を保持するための石突保持部を設け、傘布保持部を、次の条件［ア］、［イ］及び［ウ］を満たすように設定したことを特徴とする。
［ア］傘布保持部と左右一方の支柱との間に、傘の傘布部が収まる傘収容空間をおく。
［イ］傘の柄部をハンドルバーの高さに配し、傘布部を傘布保持部の高さに配し、かつ、傘が鉛直に対して石突が後方へ向かう方向に−５〜２５°の範囲内の所定のスライド時角度をなす状態で、傘を傘布保持部よりも左右他方側から左右一方側の傘収容空間に向けてスライドさせるときに、傘が通過できる傘通過空間を、傘布保持部とハンドルバーとの間におく。但し、本条件［イ］において、傘の柄部の直径は２０ｍｍ、傘布部の直径は５０ｍｍとする。（ここでの傘の柄部及び傘布部の直径は、本条件［イ］を確定させるためだけの寸法であって、本発明のショッピングカートに保持する傘の柄部及び傘布部の直径を限定する意図ではない。）。
［ウ］傘の傘布部が傘収容空間に収まり、かつ、石突が石突保持部に保持された傘保持時に、傘布保持部は傘布部が左右他方に倒れるのを防止できる位置にある。
【００１１】
ここで、所定のスライド時角度が２５°以下（〜２５°）なのは、２５°以上だと傘を傾けてからショッピングカートに立てる作業が面倒になるおそれがあるからである。また、所定のスライド時角度が−５°以上（−５〜）なのは、−５°以下だと、傘布保持部の後方への突出長さを極端に小さくしないと傘布部が傘通過空間を通過できくなるおそれがあり、それによって、傘保持時に傘が左右他方に倒れるのを防止し難くなるおそれがあるからである。所定のスライド時角度は、０〜２０°の範囲内の角度であることがより好ましい。
【００１２】
傘保持時の傘の角度は、特に限定されないが、傘保持時に、傘が鉛直に対して石突が後方へ向かう方向に−２０〜−１°の範囲内の所定の傘保持時角度をなすことが好ましい。−１°以下（〜１°）が好ましいのは、−１°以下なら傘布保持部の後方への突出長さをさほど大きくしなくても、傘保持時に傘が左右他方に倒れるのを十分に防止できるからである。そして、このように傘布保持部の後方への突出長さを小さく抑えることによって、スライド時角度も小さく抑えることができ、買物客が傘を立て易くなるからである。また、−２０°以上（−２０°〜）が好ましいのは、−２０°以下だと傘が傾き過ぎて傘保持時に傘を保持し難くなるおそれがあるからである。
【００１３】
石突保持部は、特に限定されないが、次の［ｉ］［ii］の態様を例示する。但し、傘保持時角度を小さく抑えることができる点、及び買物客が脚を石突保持部にぶつける等の心配がなくなる点で、［ｉ］の態様である方が好ましい。
［ｉ］石突保持部は、左右の両支柱の下部どうしを繋ぐ左右方向フレームから前方に突出した態様。
［ii］石突保持部は、左右の両支柱の下部どうしを繋ぐ左右方向フレームから後方に突出した態様。
【００１４】
傘布保持部は、特に限定されないが、次の［ｉ］［ii］の態様を例示する。
［ｉ］傘布保持部は、バスケットの後端部から後方に突出した突起である態様。
［ii］傘布保持部は、左右一方の支柱から左右他方に突出したのち後方に湾曲した突起である態様。
【００１５】
上記［ｉ］の傘布保持部のより具体的な態様は、特に限定されないが、次の［ア］〜［ウ］の態様を例示する。
［ア］傘布保持部は、左右一方の側面の後端部から左右一方に突出した返し部を備えた態様。
［イ］傘布保持部は、左右一方に向かうに従い後方への突出長が長くなる態様。
［ウ］傘布保持部は、左右一方に向かうに従い後方への突出長が短くなる態様。
【００１６】
ハンドルバーは、特に限定されないが、次の［ｉ］［ii］の態様を例示する。但し、傘をハンドルバーとバスケットの後端との間に配し易い点で［ｉ］の態様である方が好ましい。
［ｉ］ハンドルバーは、左右一方の支柱の上端部が左右他方に曲げられてなる左右一方のハンドルバーと、左右他方の支柱の上端部が左右一方に曲げられてなる左右他方のハンドルバーとに分離形成され、左右の両ハンドルバーの間に、傘が前後方向に通過できる間隙が形成された態様。
［ii］ハンドルバーは、左右の両支柱の上端部どうしを繋ぐ一本のバーである態様。
【００１７】
傘布保持部には、特に限定されないが、傘を立てる位置を示す表示部が設けられていることが好ましい。
【００１８】
なお、上記手段において「左右一方」及び「左右他方」は、その順で、「左」及び「右」の場合、「右」及び「左」の場合、これらの場合を両方備える場合、のいずれの態様も含む。すなわち、傘布保持部は次のいずれの態様も含む。
［ｉ］左の支柱との間に傘収容空間をおくように１つ設けられる態様。この場合、石突保持部はその傘布保持部よりも下方に１つ設けられる。
［ii］右の支柱との間に傘収容空間をおくように１つ設けられる態様。この場合、石突保持部はその傘布保持部よりも下方に１つ設けられる。
［iii］左の支柱との間に傘収容空間をおくように設けられる傘布保持部と、右の支柱との間に傘収容空間をおくように設けられる傘布保持部との２つが設けられる態様。この場合、石突保持部は各傘布保持部よりも下方に１つずつ設けられる。
【発明の効果】
【００１９】
本発明によれば、−５〜２５°の範囲内の所定のスライド時角度をなす状態で傘が通過できる傘通過空間があるため、傘布部を簡単に傘収納空間に配することができる。そのため、ショッピングカートに傘を簡単に立てることができる。また、傘布保持部は、傘保持時に、傘布部が左右他方に倒れるのを防止できる位置にあるため、立てた傘が左右他方に倒れる心配もない。
【図面の簡単な説明】
【００２０】
【図１】実施例１のショッピングカートを示す側面図である。
【図２】同実施例１のショッピングカートを示す背面図である。
【図３】（ａ）は同実施例１のショッピングカートの上部を示す平面図、（ｂ）は同ショッピングカートの下部を示す平面図である。
【図４】（ａ）は同実施例１の傘布保持部及びその周辺を示す平面図、（ｂ）は側面図、（ｃ）は背面図である。
【図５】（ａ）〜（ｃ）は同実施例１のショッピングカートの傘立に傘を立てる手順を示す側面図である。
【図６】（ａ）〜（ｃ）は同実施例１のショッピングカートの傘立に傘を立てる手順を示す背面図である。
【図７】（ａ）は同実施例１のショッピングカートの傘立に杖を立てたとき示す側面断面図、（ｂ）は背面図である。
【図８】（ａ）は変更例１の傘布保持部及びその周辺を示す平面図、（ｂ）は変更例２の傘布保持部を示す平面図、（ｃ）は変更例３の傘布保持部を示す平面図、（ｄ）は変更例４の傘布保持部を示す平面図である。
【図９】（ａ）は変更例５の傘布保持部及びその周辺を示す平面図、（ｂ）は側面図、（ｃ）は背面図である。
【図１０】（ａ）〜（ｃ）は同変更例５のショッピングカートの傘立に傘を立てる手順を示す側面図である。
【図１１】（ａ）は変更例６の傘布保持部及びその周辺を示す平面図、（ｂ）は側面図、（ｃ）は背面図である。
【図１２】（ａ）は実施例２の傘布保持部及びその周辺を示す平面図、（ｂ）は側面図、（ｃ）は背面図である。
【図１３】（ａ）〜（ｃ）は同実施例２のショッピングカートの傘立に傘を立てる手順を示す側面図である。
【図１４】（ａ）は実施例３の傘布保持部及びその周辺を示す平面図、（ｂ）は側面図、（ｃ）は背面図である。
【図１５】（ａ）〜（ｃ）は同実施例３のショッピングカートの傘立に傘を立てる手順を示す側面図である。
【図１６】（ａ）〜（ｃ）は実施例４のショッピングカートの傘立に傘を立てる手順を示す側面図である。
【図１７】（ａ）〜（ｃ）は同実施例４のショッピングカートの傘立に傘を立てる手順を示す背面図である。
【図１８】（ａ）は従来例２のショッピングカートの傘立に傘を立てたときを示す背面図、（ｂ）は従来例２のショッピングカートの傘立の右方に傘を立てたときを示す背面図である。
【図１９】同従来例２のショッピングカートの傘立の右方に傘を立てる手順を（ａ）〜（ｃ）に示す側面図である。
【図２０】同従来例２のショッピングカートの傘立の右方に傘を立てる手順を（ａ）〜（ｃ）に示す背面図である。
【図２１】（ａ）は従来例３のショッピングカートの傘立の右方に傘を立てたときを示す側面図、（ｂ）は背面図である。
【発明を実施するための形態】
【実施例１】
【００２１】
図１〜図７に示す本実施例１のショッピングカート９ｘは、次に示す、左右の両支柱１０Ｌ，１０Ｒと、基台２０と、バスケット３０と、左右の両ハンドルバー４０Ｌ，４０Ｒと、傘布保持部５０（５０ｘ）と、石突保持部６０とを含み構成されている。そして、傘布保持部５０ｘと石突保持部６０とで傘立を構成している。なお、以下でいう傘３は、その柄部４の直径が２０ｍｍで、傘布部５の直径が５０ｍｍとする。また、以下では、左右一方を右といい、左右他方を左というが、右と左とが反対であってもよい。
【００２２】
左右の両支柱１０Ｌ，１０Ｒは、左側の左支柱１０Ｌと右側の右支柱１０Ｒとからなり、両支柱１０Ｌ，１０Ｒは左右方向に間隔をおいて並設されている。各支柱１０Ｌ，１０Ｒは、上下方向に延びており、長さ方向中間部は前方に突出する形で屈曲している。
【００２３】
基台２０は、左右の両支柱１０Ｌ，１０Ｒの下部に後部が支えられて前方に延びている。この基台２０は、左右の両支柱１０Ｌ，１０Ｒの下部どうしを繋いだ左右方向フレーム２１と、左右の支柱１０Ｌ，１０Ｒから前方にＵ字状に突出した外Ｕ字フレーム２２と、左右方向フレーム２１の左右中間部から外Ｕ字フレーム２２の内側に収まるＵ字状で前方に突出した内Ｕ字フレーム２３と、外Ｕ字フレーム２２の前端部と内Ｕ字フレームの前端部とを連結した基台前端部２４とを含み構成されている。そして、この基台２０の下方には、キャスタ２５，２５・・が設けられている。そのキャスタ２５，２５・・は、左右の両支柱１０Ｌ，１０Ｒの下端にそれぞれ取り付けられた２つの後輪２５，２５と、基台前端部２４の下面に取り付けられた２つの前輪２５，２５とからなる。
【００２４】
バスケット３０は、左右の両支柱１０Ｌ，１０Ｒの上下方向中間部に後部が支えられて前方に延びている。このバスケット３０は、底面部３１と前面部３２と左側面部３３と右側面部３４と後面部３５とからなり、上方に開口している。そして、底面部３１と前面部３２と左側面部３３と右側面部３４とは網状に形成されている。また、後面部３５は、前後方向に開口した四角形枠状の枠状部３６と、枠状部３６の内側に取り付けられた回転板３７とを含み構成されている。その回転板３７は、枠状部３６の上端部を軸に回転して開扉可能となっている。
【００２５】
左右の両ハンドルバー４０Ｌ，４０Ｒは、左側の左ハンドルバー４０Ｌと右側の右ハンドルバー４０Ｒとからなる。そして、左ハンドルバー４０Ｌは、右方に曲げられた左支柱１０Ｌの上端部４１と、該上端部４１に取り付けられたグリップ４２とからなる。また、右ハンドルバー４０Ｒは、左方に曲げられた右支柱１０Ｒの上端部４１と、該上端部４１に取り付けられたグリップ４２とからなる。そして、左右の両ハンドルバー４０Ｌ，４０Ｒの間には、傘３が前後方向に通過できる間隙が形成されている。
【００２６】
傘布保持部５０ｘは、左右の両支柱１０Ｌ，１０Ｒ間のバスケット３０の後面とハンドルバー４０Ｒとの間に配した傘３のすぼめた状態の傘布部５を左方に倒れないように保持するための部位である。この傘布保持部５０ｘ（実線）は、バスケット３０の後面部３５を構成する枠状部３６の上端部の右寄り部分から後方に突出した突起であって、平面視で外枠となる外枠部５１と、外枠部５１の内側に取り付けられた表示部５５とを含み構成されている。そして、表示部５５には、傘３の立て方や立てる位置等が示されている。また、この傘布保持部５０ｘは、その右側面の後端部から右方に突出した返し部５２を備えている。そして、この傘布保持部５０ｘ（実線）と右支柱１０Ｒとの間には、傘３の傘布部５が収まる傘収容空間Ｓがおかれている。
【００２７】
また、この傘布保持部５０ｘとハンドルバー４０Ｒとの間には、次に示す傘通過空間Ｐがおかれてる。その傘通過空間Ｐは、傘３の柄部４をハンドルバー４０Ｒの高さに配し、傘布部５を傘布保持部５０の高さに配し、かつ、傘３が鉛直に対して石突６が後方へ向かう方向に所定のスライド時角度θをなす状態で、傘３をバスケット３０の後面の傘布保持部５０ｘよりも左側から右側の傘収容空間Ｓに向けてスライドさせたときに、傘３が通過できる空間である。上記の所定のスライド時角度θは、本実施例１では１４〜１４０°の範囲内で選択可能であるが、その範囲内で最も小さい１４°としている。
【００２８】
また、この傘布保持部５０ｘは、傘３の傘布部５が傘収容空間Ｓに収まり、かつ、傘３の石突６が石突保持部６０に保持された傘保持時であって、買物客が手を傘３から離した自然な状態のときに、傘布部５に左方から当接できることで傘３が左方に倒れるのを防止できる位置にある。上記の傘保持時に、傘３が鉛直に対して石突６が後方へ向かう方向になす所定の傘保持時角度φは、−５．５°である。
【００２９】
石突保持部６０は、基台２０の左右方向フレーム２１の右端部付近から前方に突出したＵ字状の突起であって、そのＵ字状の突起と左右方向フレーム２１とによってリング状に形成されている。また、この石突保持部６０の上方には、杖の先端部を周囲から保持するための杖端保持部６５が設けられている。その杖端保持部６５は、基台２０の左右方向フレーム２１から前方に突出した、石突保持部６０よりも一回り大きいＵ字状の突起である。
【００３０】
次に以上に示したショッピングカート９ｘに傘３を立てる手順を以下に説明する。
［１］まず、図５（ａ）及び図６（ａ）に示すように、傘３を左右の両ハンドルバー４０Ｌ，４０Ｒの間に配する。
［２］次に、図５（ｂ）及び図６（ｂ）に示すように、傘３を、鉛直に対して所定のスライド時角度θ傾けつつ、傘通過空間Ｐを通して右方にスライドさせる。これにより、傘３の傘布部５を傘収容空間Ｓに配する。
［３］次に、図５（ｃ）及び図６（ｃ）に示すように、傘３の石突６を石突保持部６０の内側に突き刺す。
【００３１】
本実施例１によれば、従来例１，２のように傘を持ち上げたり、従来例２のように傘を５０度程度も傾けたりしなくても、簡単に傘３をショッピングカート９ｘに立てることができる。また、傘布保持部５０ｘは、傘保持時に、傘布部５が左方に倒れるのを防止できる位置にあるため、傘３が従来例３のように左方に倒れる心配もない。
【００３２】
また、杖端保持部６５があるため、傘３のみならず、図７に示すように、先端部が傘３の石突６よりも太い杖８であっても保持することができる。このとき、杖８の先端部は、石突保持部６０の上に置かれるとともに、杖８の先端部の外周面が杖端保持部６５によって周囲から保持される。
【００３３】
なお、本実施例１の石突保持部６０を設ける位置は、上記の位置に限定されず、例えば、図１８〜図２１に示す従来例１〜３の場合と同様、基台２０の左右方向フレーム２１から後方に突出するようにしてもよい。この場合には、傘保持時角度φが大きくなる（鉛直に近くなる）ため傘保持時に傘３を保持し易くなる点で有利であるが、傘保持時角度φが大きくなるため傘布保持部５０の後方への突出長さを小さく抑え難くなり、スライド時角度θを小さく抑え難くなる点や、後方に突出するため買物客が石突保持部６０に脚をぶつけ易くなる等、邪魔になり易くなる点で不利である。
【００３４】
また、本実施例１の傘布保持部５０（５０ｘ）の形状は、上記の形状に限定されず、例えば、次の変更例１〜６のように変更してもよい。
【００３５】
［変更例１］
図８（ａ）に示す変更例１のショッピングカート９ａの傘布保持部５０（５０ａ）は、実施例１の傘布保持部５０（５０ｘ）と略同様であるが、右側面の後端部から右方に突出した返し部５２（５２ａ）の形状が異なり、その他の点で実施例１の傘布保持部５０（５０ｘ）と同様である。この返し部５２ａの右側の部位は、右方に向かうに従い前方に向かう形状をしている。そのため、傘収容空間Ｓに収容した傘３が外れ難い。なお、本変更例１においても、傘３を傘通過空間Ｐ（傘布保持部５０ａとハンドルバー４０Ｒとの間）に通す際の所定のスライド時角度θは、１４°〜１４０°の範囲内で選択可能であるが、その範囲内で最も小さい１４°としている。
【００３６】
［変更例２］
図８（ｂ）に示す変更例２のショッピングカート９ｂの傘布保持部５０（５０ｂ）は、実施例１の傘布保持部５０（５０ｘ）と略同様であるが、右端部の後端部から右方に突出した返し部５２（５２ｂ）の形状が異なり、その他の点で実施例１の傘布保持部５０（５０ｘ）と同様である。この返し部５２ｂの右側の部位は、右方に向かうに従い後方に曲がる形状をしている。そのため、傘３を傘収容空間Ｓに導き易い。なお、本変更例２においても、傘３を傘通過空間Ｐ（傘布保持部５０ｂとハンドルバー４０Ｒとの間）に通す際の所定のスライド時角度θは、１４°〜１４０°の範囲内で選択可能であるが、その範囲内で最も小さい１４°としている。
【００３７】
［変更例３］
図８（ｃ）に示す変更例３のショッピングカート９ｃの傘布保持部５０（５０ｃ）は、実施例１の傘布保持部５０（５０ｘ）と略同様であるが、左側から右側に向かうに従い突出長が長くなる形状をしている点で異なり、その他の点で実施例１の傘布保持部５０（５０ｘ）と同様である。そのため、傘収容空間Ｓに収容した傘３が外れ難い。なお、本変更例３においても、傘３を傘通過空間Ｐ（傘布保持部５０ｃとハンドルバー４０Ｒとの間）に通す際の所定のスライド時角度θは、１４°〜１４０°の範囲内で選択可能であるが、その範囲内で最も小さい１４°としている。
【００３８】
［変更例４］
図８（ｄ）に示す変更例４のショッピングカート９ｄの傘布保持部５０（５０ｄ）は、実施例１の傘布保持部５０（５０ｘ）と略同様であるが、左側から右側に向かうに従い突出長が短くなる形状をしている点で異なり、その他の点で実施例１の傘布保持部５０（５０ｘ）と同様である。そのため、傘３を傘収容空間Ｓに導き易い。なお、本変更例４においても、傘３を傘通過空間Ｐ（傘布保持部５０ｄとハンドルバー４０Ｒとの間）に通す際の所定のスライド時角度θは、１４°〜１４０°の範囲内で選択可能であるが、その範囲内で最も小さい１４°としている。
【００３９】
［変更例５］
図９、図１０に示す変更例５のショッピングカート９ｅの傘布保持部５０（５０ｅ）は、外枠部５１が後方に突出した後、上方に曲がって突出し、その後更に前方に曲がって折り返す形状をしている。そして、その外枠部５１の上面に表示部５５が取り付けられている。そのため、表示部５５が目立ちやすく、買物客が傘立を認識し易い。なお、本変更例５においては、傘３を傘通過空間Ｐ（傘布保持部５０ｅとハンドルバー４０Ｒとの間）に通す際の所定のスライド時角度θは、１４°〜１３０°の範囲内で選択可能であるが、その範囲内で最も小さい１４°としている。
【００４０】
［変更例６］
図１１に示す変更例６のショッピングカート９ｆの傘布保持部５０（５０ｆ）は、右端部に左方に凹んだ凹部５３が設けられている。そのため、傘収容空間Ｓに収容した傘３が外れ難い。なお、本変更例６においては、傘３を傘通過空間Ｐ（傘布保持部５０ｆとハンドルバー４０Ｒとの間）に通す際の所定のスライド時角度θは、２０°〜１３０°の範囲内で選択可能であるが、その範囲内で最も小さい２０°としている。
【実施例２】
【００４１】
図１２、図１３に示す本実施例２のショッピングカート９ｘ’は、実施例１と略同様であるが、傘布保持部５０（５０ｘ）を設ける位置のみが実施例１と異なり、その他の点においては実施例１と同様である。その傘布保持部５０ｘは、バスケット３０の後面部３５を構成する枠状部３６の下端部の右寄り部分から後方に突出する形で設けられている。本実施例２では、傘３を傘通過空間Ｐ（傘布保持部５０ｘとハンドルバー４０Ｒとの間）に通す際の所定のスライド時角度θは、０°〜１４０°の範囲内で選択可能であるが、その範囲内で最も小さい０°としている。
【００４２】
本実施例２では、傘３を実施例１よりも小さい所定のスライド時角度θ傾けるだけで傘通過空間Ｐに通すことができる。そのため、実施例１よりも簡単に傘３を立てることができる。また、本実施例２によれば、傘布保持部５０ｘが実施例１の場合よりも低い位置にあるので、不使用時等に該傘布保持部５０ｘが邪魔になり難い。なお、本実施例２においても、傘布保持部５０ｘの形状は、実施例１と同様の形状に限定されず、例えば、上記の変更例１〜６の形状に変更してもよい。
【実施例３】
【００４３】
図１４、図１５に示す本実施例３のショッピングカート９ｚは、実施例１と略同様であるが、傘布保持部５０（５０ｚ）のみが実施例１の傘布保持部５０（５０ｘ）と異なり、その他の点においては実施例１と同様である。その傘布保持部５０ｚは、右支柱１０Ｒの上部から左方に突出した後、後方に突出して、その後更に右方に折り返した形状をしている。本実施例３では、傘３を傘通過空間Ｐ（傘布保持部５０ｚとハンドルバー４０Ｒとの間）に通す際の所定のスライド時角度θは、２３°〜１３０°の範囲内で選択可能であるが、その範囲内で最も小さい２３°としている。
【００４４】
本実施例３では、傘３を実施例１よりは大きいが従来例２よりかは小さいスライド時角度θ傾けるだけで傘通過空間Ｐに通すことができる。そのため、従来例２よりも簡単に傘３を立てることができる。
【実施例４】
【００４５】
図１６，図１７に示す本実施例４のショッピングカート９ｚ’は、実施例１と略同様であるが、傘布保持部５０（５０ｚ’）のみが実施例１の傘布保持部５０（５０ｘ）と異なり、その他の点においては実施例１と同様である。その傘布保持部５０ｚ’は、右支柱１０Ｒの下部から左方に突出した後、後方に突出して、その後更に右方に折り返した形状をしている。本実施例４では、傘３を傘通過空間Ｐ（傘布保持部５０ｚ’とハンドルバー４０Ｒとの間）に通す際の所定のスライド時角度θは、１°〜１４０°の範囲内で選択可能であるが、その範囲内で最も小さい１°としている。
【００４６】
本実施例４では、傘３を実施例１よりも小さい所定のスライド時角度θ傾けるだけで傘通過空間Ｐに通すことができる。そのため、実施例１よりも簡単に傘３を立てることができる。また、本実施例４によれば、傘布保持部５０ｚ’が実施例１の傘布保持部５０ｘよりも低い位置にあるので、不使用時等に該傘布保持部５０ｚ’が邪魔になり難い。
【００４７】
なお、本発明は前記実施例１〜４及び変更例１〜６の構成に限定されるものではなく、例えば次のように、発明の趣旨から逸脱しない範囲で適宜変更して具体化することもできる。
（１）いずれの実施例及び変更例においても、傘布保持部５０及び石突保持部６０は（例えば実施例１では図３に二点鎖線で示すように）、左側に設けてもよいし、右側と左側に２つ設けて左右に傘を保持できるようにしてもよい。
【符号の説明】
【００４８】
３    傘
４    傘の柄部
５    傘の傘布部
６    傘の石突
９ｘ  ショッピングカート（実施例１）
９ａ  ショッピングカート（実施例１の変更例１）
９ｂ  ショッピングカート（実施例１の変更例２）
９ｃ  ショッピングカート（実施例１の変更例３）
９ｄ  ショッピングカート（実施例１の変更例４）
９ｅ  ショッピングカート（実施例１の変更例５）
９ｆ  ショッピングカート（実施例１の変更例６）
９ｘ’ショッピングカート（実施例２）
９ｚ  ショッピングカート（実施例３）
９ｚ’ショッピングカート（実施例３）
１０Ｌ  左支柱（左右他方の支柱）
１０Ｒ  右支柱（左右一方の支柱）
３０    バスケット
４０Ｌ  左ハンドルバー（ハンドルバー）
４０Ｒ  右ハンドルバー（ハンドルバー）
５０    傘布保持部
５０ｘ  傘布保持部（実施例１，２）
５０ａ  傘布保持部（実施例１の変更例１）
５０ｂ  傘布保持部（実施例１の変更例２）
５０ｃ  傘布保持部（実施例１の変更例３）
５０ｄ  傘布保持部（実施例１の変更例４）
５０ｅ  傘布保持部（実施例１の変更例５）
５０ｆ  傘布保持部（実施例１の変更例６）
５０ｚ  傘布保持部（実施例３）
５０ｚ’傘布保持部（実施例４）
５２    返し部
５２ｘ  返し部（実施例１）
５２ａ  返し部（実施例１の変更例１）
５２ｂ  返し部（実施例１の変更例２）
５５    表示部
６０    石突保持部
Ｓ    傘収納空間
Ｐ    傘通過空間
θ    スライド時角度
φ    傘保持時角度
【図１】
0005852498.tif 000002
【図２】
0005852498.tif 000003
【図３】
0005852498.tif 000004
【図４】
0005852498.tif 000005
【図５】
0005852498.tif 000006
【図６】
0005852498.tif 000007
【図７】
0005852498.tif 000008
【図８】
0005852498.tif 000009
【図９】
0005852498.tif 000010
【図１０】
0005852498.tif 000011
【図１１】
0005852498.tif 000012
【図１２】
0005852498.tif 000013
【図１３】
0005852498.tif 000014
【図１４】
0005852498.tif 000015
【図１５】
0005852498.tif 000016
【図１６】
0005852498.tif 000017
【図１７】
0005852498.tif 000018
【図１８】
0005852498.tif 000019
【図１９】
0005852498.tif 000020
【図２０】
0005852498.tif 000021
【図２１】
0005852498.tif 000022